(57)【要約】【課題】  省スペースでベルトの温度上昇を防止すると同時に、飛散トナーがベルト内部に侵入しベルト駆動ローラの摩擦力を低下させてベルト走行が不安定になるのを阻止する画像形成装置を提供する。【解決手段】  中間転写ベルトユニットを構成する前後のフレームと、円筒状の中間転写ベルト端部との間の隙間を実質的に無くし、前後のフレームにエアフィルタを備える吸気口と、排気口とを設け、排気口を定着装置の冷却ファンを含むエアフローと接続することで中間転写ベルト内の空気冷却経路を一つだけとする。【選択図】      図３
2010197574.tif 000002
【特許請求の範囲】
【請求項１】
対向する一対のフレームと、該一対のフレーム間に軸支された複数のローラと、循環移動すべく前記複数のローラに掛け渡されたベルト体と、前記フレームの一方に設けられた吸気口と他方に設けられた排気口と前記吸気口から前記排気口に至りエアフローを形成させるエアフロー形成手段とを有するベルトユニットと、加熱定着手段と、を少なくとも備え、
像担持体上に形成されたトナー画像を前記ベルト体の外周面に担持搬送した被転写材へ転写するように構成するか、前記トナー画像を前記ベルト体の外周面に一次転写した後搬送される被転写材へ二次転写すべく構成し、前記被転写材に転写された未定着のトナー画像を前記加熱定着手段により前記被転写材に定着させて画像を形成する画像形成装置において、
前記ベルトユニットは、
前記エアフロー形成手段によるエアフロー経路を除いて前記ベルトユニット内にエアフローが生じないよう、前記エアフロー形成手段と前記一対のフレーム及び前記ベルト体とで囲まれる空間を密閉空間とすべく前記フレームと前記ベルト体側部とを近設させた
ことを特徴とする画像形成装置。
【請求項２】
前記加熱定着手段を冷却するために装置本体内の空気を装置本体外へ排気する冷却ファンと前記排気口とを連結する排気ダクトを更に備える、ことを特徴とする請求項１に記載の画像形成装置。
【請求項３】
前記吸気口にエアフィルタを具備した、ことを特徴とする請求項１又は２に記載の画像形成装置。
【発明の詳細な説明】
【技術分野】
【０００１】
本発明はベルトユニットを備えて用紙等の被転写材にトナー像を転写して画像を形成する画像形成装置に関し、より詳細にはベルトユニット内への飛散トナーの進入を防止する構成に関する。
【背景技術】
【０００２】
従来、感光体に形成したトナー像を用紙等の被転写材に転写して定着することにより用紙に文字や画像を形成する電子写真式の画像形成装置が知られている。
【０００３】
特に近年、用紙ジャム時の修復と保守作業が容易であることやフルカラーの画像形成を可能としながらも装置全体を小型化できる等の効用の点から、循環移動するベルト体を用いた画像形成装置が多用されつつある。
【０００４】
そして、上記ベルト体は一対のフレーム間に軸支された複数のローラに掛け渡されたベルトユニットとして感光体延いては画像形成部の近傍に組み込まれるのが一般的である。
【０００５】
このような画像形成装置において、感光体に形成されたトナー画像をベルト体の外周面に吸着させつつ搬送した用紙に直接転写するものと、上記トナー画像を感光体から一旦中間転写部材であるベルト体に一次転写し、ベルト体から更に用紙に二次転写するものとが知られるが、いずれにせよ、上記ベルト体を介して用紙に転写された未定着のトナー画像は、転写位置から用紙搬送方向下流側に近設された加熱定着手段により定着させられて装置本体外へ排出される。
【０００６】
ところで、装置本体内では上記加熱定着手段等の発熱源により温度上昇が生じるため、それを抑える必要性から冷却ファンを設けることが行われている。そして、装置が小型化されればされるほど、発熱源やその近傍部材に対する効率的なエアフロー設計が望まれる。
【０００７】
そこで、装置の小型化に対応してベルト体を効率よく冷却するために、中間転写ベルトの内側にファンを設けたり（例えば、特許文献１参照。）、ベルトフレーム間に設けたダクト部にエアフローを形成する提案がなされている。（例えば、特許文献２参照。）
【０００８】
しかしながら、装置本体内に生じるエアフローは、画像形成装置内部に設けた現像部や感光体クリーニング部及び、中間転写ベルトクリーニング部等から漏出したトナーを少なからず飛散させることになる。そして、このような飛散トナーは装置本体内に形成されるエアフローによって運搬されて中間転写ベルト内周にも付着し、更にベルト内周に接するベルト回転経路に設けた各ローラ表面に付着する。
【先行技術文献】
【特許文献】
【０００９】
【特許文献１】特開２００５−３１５０３号公報
【００１０】
【特許文献２】特開２００７−１４７８６２号公報
【発明の概要】
【発明が解決しようとする課題】
【００１１】
上述のように上記ベルト体は複数のローラに掛け渡されて構成されている。そして、複数のローラの内、特にベルト駆動用ローラはベルト駆動力を高効率にベルトへ伝える必要があるため、表面に高摩擦のゴムを被覆した所謂ゴムローラを用いるのが一般的である。
【００１２】
そして、このゴム表面には微細な凹凸があり、ここに飛散トナーが付着すると、ゴム表面の摩擦伝動力が低下してベルト駆動用ローラとベルト体とが滑って安定したベルト駆動が行われなくなるという問題が発生する。
【００１３】
これに対して、上記特許文献１や特許文献２に記載の構成では、装置の小型化を達成してはいるものの装置本体内部においてベルト体側部が開放されているため、ベルト内へのエアフローによって飛散トナーが中間転写ベルト内周にも運ばれる結果、ベルト内周に接する複数のローラとりわけベルト駆動用ローラ表面に飛散トナーが付着する不具合を解消しておらず、ベルト駆動が安定化しない、という解決すべき課題がある。
【課題を解決するための手段】
【００１４】
上記の課題を解決するために、本発明は、対向する一対のフレームと、該一対のフレーム間に軸支された複数のローラと、循環移動すべく上記複数のローラに掛け渡されたベルト体と、上記フレームの一方に設けられた吸気口と他方に設けられた排気口と上記吸気口から上記排気口に至りエアフローを形成させるエアフロー形成手段とを有するベルトユニットと、加熱定着手段と、を少なくとも備え、像担持体上に形成されたトナー画像を上記ベルト体の外周面に担持搬送した被転写材へ転写するように構成するか、上記トナー画像を上記ベルト体の外周面に一次転写した後搬送される被転写材へ二次転写すべく構成し、上記被転写材に転写された未定着のトナー画像を上記加熱定着手段により上記被転写材に定着させて画像を形成する画像形成装置を前提とする。
【００１５】
本発明の画像形成装置は、上記ベルトユニットが、上記エアフロー形成手段によるエアフロー経路を除いて上記ベルトユニット内にエアフローが生じないよう、上記エアフロー形成手段と上記一対のフレーム及び上記ベルト体とで囲まれる空間を密閉空間とすべく上記フレームと上記ベルト体側部とを近設させて構成される。
【００１６】
本発明の画像形成装置において、上記加熱定着手段を冷却するために装置本体内の空気を装置本体外へ排気する冷却ファンと上記排気口とを連結する排気ダクトを更に備える構成としても良い。また、上記吸気口にエアフィルタを具備するのが好ましい。
【発明の効果】
【００１７】
本発明は、ベルトユニット内部への飛散トナーの進入を防止できるので、ベルトユニット内部の各構成部品へのトナー汚染が防止され、その結果、駆動ローラにあってはトナー汚染により表面摩擦抵抗の低下によるベルトスリップの発生や、バックアップ従動ローラにおいてはトナー汚染により、その表面抵抗に部分的ムラができて転写ムラを引き起こす、といった性能劣化を防止できる。
【図面の簡単な説明】
【００１８】
【図１】本発明の実施例１に係るベルトユニットを備えたカラー画像形成装置（プリンタ）の内部構成を説明する断面図である。
【図２】本発明の実施例１に係るベルトユニットの構成とエアフローを二次転写ベルト近傍の構成と共に模式的に示す拡大図である。
【図３】図２のＡ−Ａ´線矢視断面図である。
【図４】本発明の実施例１に係るベルトユニットを取り出して一方のフレーム側から見た模式的側面図である。
【発明を実施するための形態】
【００１９】
以下、本発明の実施の形態について、詳細に説明する。尚、以下の説明において、請求項に記載された像担持体は例えば感光体ドラム７等からなり、ベルト体は中間転写ベルト３０等からなり、被転写体は例えば用紙６０等からなり、そして、加熱定着手段は例えばベルト式定着装置６７等からなる。
【実施例１】
【００２０】
図１は、本発明の実施例１に係るベルトユニットを備えたカラー画像形成装置（以下、単にプリンタという）の内部構成を簡略に示す模式的側断面図である。尚、同図は、例としてタンデム型のカラー画像形成装置を示している。また、図２は、図１のベルトユニットの構成とエアフローを二次転写ベルト近傍の構成と共に模式的に示す拡大図、図３は上記図２のＡ−Ａ´線矢視断面図、更に、図４は本発明のベルトユニットを取り出して一方のフレーム（手前側フレーム）側から見た模式的側面図である。尚、各図において同一構成部分には同一の番号を付与して示している。
【００２１】
まず、図１に示すプリンタ１は、電子写真方式で二次転写方式のタンデム型のカラー画像形成装置であり、画像形成部２、中間転写ベルトユニット３、給紙部４、及び両面印刷用搬送ユニット５等で構成されている。
【００２２】
上記画像形成部２は、図２にも拡大して示すように、右から左へ４個の画像形成ユニット６（６Ｍ、６Ｃ、６Ｙ、６Ｋ）を多段式に並設した構成からなる。
【００２３】
上記４個の画像形成ユニット６のうち上流側（図の右側）の３個の画像形成ユニット６Ｍ、６Ｃ及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として画像の暗黒部分や文字等に用いられるブラック（Ｋ）トナーによるモノクロ画像を形成する。
【００２４】
上記の各画像形成ユニット６は、トナー容器（トナーカートリッジ）に収納されたトナーの色を除き全て同じ構成である。そこで、以下ブラック（Ｋ）用の画像形成ユニット６Ｋを例にしてその構成を説明する。
【００２５】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、光書込ヘッド１０、及び現像器１１の現像ローラ１２が配置されている。
【００２６】
現像器１１は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００２７】
また、現像器１１の下部には側面開口部に上述した現像ローラ１２を備え、内部にトナー撹拌部材１３、現像ローラ１２にトナーを供給するトナー供給ローラ１４、現像ローラ１２上のトナー層を一定の層厚に規制するドクターブレード１５等を備えている。
【００２８】
中間転写ベルトユニット３は、本体装置のほぼ中央で図の左右のほぼ端から端まで扁平なループ状になって延在するＥＴＦＥ等の薄層樹脂フィルムで構成された無端状の中間転写ベルト３０と、この中間転写ベルト３０を掛け渡されて中間転写ベルト３０を図２の矢印Ａ、Ｂで示す反時計回り方向に循環移動させるベルト駆動ローラ３１とバックアップ従動ローラ３２等を備える。
【００２９】
これらは、図３、図４に示す手前側フレーム３３と奥側フレーム３４に支持されている。この手前側フレーム３３には吸気口３５が、奥側フレーム３４には排気口３６が設けられている。また、ベルト駆動ローラ３１は、ベルト駆動力を高効率でベルトに伝える必要があるため、表面にゴムを被覆した所謂ゴムローラとしている。
【００３０】
また、中間転写ベルト３０の内周には、上記ベルト駆動ローラ３１やバックアップ従動ローラ３２の他にも、中間転写ベルト３０に張力を与える為のテンションローラ３７や、感光体ドラム７に対向した位置に一次転写ローラ３８が設けられている。
【００３１】
更に、中間転写ベルトユニット３には、上面部のベルト移動方向最上流側の画像形成ユニット６Ｍの更に上流側に、ベルトクリーナユニット４７が配置され、下面部のほぼ全面に沿い付けるように平らで薄型の廃トナー回収容器２０が着脱自在に配置されている。
【００３２】
そして、本発明の特徴となる仕切り板４０が上記手前側フレーム３３，奥側フレーム３４と一体的に設けられている。
【００３３】
仕切り板４０は、図２にも示されるように、ベルト駆動ローラ３１からバックアップ従動ローラ３２側までベルトユニット内を分割するように水平方向に延在している。また、中間転写ベルトユニット３の手前側フレーム３３の吸気口３５には例えば不織布等で構成されたエアフィルタ３９が吸気口３５に隙間無く装着されている。
【００３４】
図３に示すように、中間転写ベルト３０の円筒開口端４１ａ、４１ｂ、は、手前側フレーム３３及び奥側フレーム３４に貼り付けたエアシール用スポンジ４２、４３、と接しており、また、手前側フレーム３３と仕切り板４０及び奥側フレーム３４と仕切り板４０との対向部分にも、それぞれエアシール用スポンジ４４ａ、４４ｂを設けている。
【００３５】
また、図２に示す如く、仕切り板４０の右端４０ａにはバックアップ従動ローラ３２と対向する部分に、左端４０ｂにはベルト駆動ローラ３１と対向する部分に、各々その長手方向全域にエアシール用スポンジ４５、４６を設けてある。
【００３６】
更に、ベルトクリーナユニット４７のベルト走行方向下流近傍には、ベルトクリーナユニット４７のベルト高さを常に一定に保つ為に設けたベルトレベルローラ４８が設けられている。そして、このベルトレベルローラ４８と、これに対向する位置の仕切り板４０にはエアシール用スポンジ５４が設けられている。
【００３７】
そのため、中間転写ベルト３０の内側を流れることの出来る空気は、実質的に吸気口３５から排気口３６へ通過する空気のみとなっている。なお、後述するが、奥側フレーム３４の排気口３６は加熱定着手段の冷却のためのエアフローを構成する排気ファン５１に繋がる排気ダクト５２と接続している。
【００３８】
上記中間転写ベルトユニット３の上面部に配設されたクリーナユニット４７はクリーニングブレード４９を備え、中間転写ベルト３０の上面に当接して廃トナーを擦り取って除去し、クリーニングブレード４９で除去した廃トナーを搬送スクリュー５０により落下筒を介して廃トナー回収容器２０に送り込んでいる。
【００３９】
また、上記のクリーニングブレード４９を適度の圧力で中間転写ベルト３０に圧接させるために、中間転写ベルトユニット３側には、下方から中間転写ベルト３０をクリーナユニット４７に向けて押圧する押圧ローラ５３が設けられている。
【００４０】
本実施例ではタンデム方式を採用しているので、図２の矢印Ｂで示す方向に中間転写ベルト３０が移動しながら感光体ドラム７表面に形成された図示しないトナー画像が一次転写ローラ３８に印加した電圧で発生する電界により中間転写ベルト３０の外周表面に順次一時吸着・転写され中間転写ベルト３０上に各色トナーによるフルカラー像が得られる。また、バックアップ従動ローラ３２には中間転写ベルト３０を介して、後述する二次転写ローラ６６が対向配置されている。
【００４１】
上記の中間転写ベルト３０は、トナー像を直接ベルト面に転写（一次転写）されて、そのトナー像を更に用紙に転写（二次転写）すべく用紙への転写位置まで搬送するので、ここではユニット全体を中間転写ベルトユニットと言っている。
【００４２】
図１に戻り、給紙部４は、上下２段に配置された２個の給紙カセット６１を備え、これら２個の給紙カセット６１には、図には示していないが、被転写材である多枚数の用紙６０が収容されている。
【００４３】
そして、２個の給紙カセット６１の給紙口（図の右方）近傍には、それぞれ用紙取出ローラ６２、給送ローラ６３、捌きローラ６４、待機搬送ローラ対６５が配置されている。
【００４４】
待機搬送ローラ対６５の用紙搬送方向（図の鉛直上方向）には、中間転写ベルト３０を介してバックアップ従動ローラ３２に圧接する二次転写ローラ６６が配設されて、用紙への二次転写部を形成している。
【００４５】
この二次転写部の下流（図では上方）側にはベルト式定着装置６７が配置されている。ベルト式定着装置６７は、図２に示すようにハロゲンランプ６８等を用いた熱源と、それを内蔵する熱ローラ６９と、熱ローラ６９と幅方向のほぼ全周に亘り密着する加熱定着ベルト７０と、加熱定着ベルト７０と密着し芯金パイプの周りに耐熱スポンジ等の断熱性に優れた弾性体を巻きつけた定着ローラ７１等で構成される加熱部と、定着ローラ７１と対向する位置に設けられ、金属等の硬質の素材で加熱トナーとの表面剥離性を高めたバックアップローラ７２等からなり、これらが定着ケース７３の筐体内に配置されて定着ユニットとされている。
【００４６】
定着ローラ７１は図示しない駆動源により矢印Ｄ方向に回転し、加熱定着ベルト７０を矢印Ｅ方向に駆動している。また、バックアップローラ７２は定着ローラ７１に圧接従動されて矢印Ｆ方向に回転しており、その回転線速は、用紙６０の搬送速度とほぼ等速に保たれている。
【００４７】
ベルト式定着装置６７の更に下流側には、定着後の用紙をベルト式定着装置６７から搬出する搬出ローラ対７８、及びその搬出される用紙を装置上面に形成されている排紙トレー７９に排紙する排紙ローラ対８１が配設されている。トナー像が転写された用紙６０は、ベルト式定着装置６７を通過することでトナー像を溶融定着され、用紙６０は図２の矢印Ｇ方向に進み機外に排出される。
【００４８】
一方、ハロゲンランプ６８により熱せられた空気は、対流伝熱により矢印Ｈ方向に上昇し、図示しないプリンタ本体フレームに設けた排気ファン５１により機外に排出される。同時に、熱輻射の伝熱（矢印Ｉ）により中間転写ベルト３０は熱せられる。
【００４９】
両面印刷用搬送ユニット５は、上記搬出ローラ対７８と排紙ローラ対８１との中間部の搬送路から図の右横方向に分岐した開始返送路８２ａ、それから下方に曲がる中間返送路８２ｂ、更に上記とは反対の左横方向に曲がって最終的に返送用紙を反転させる終端返送路８２ｃ、及びこれらの返送路の途中に配置された４組の返送ローラ対８３ａ、８３ｂ、８３ｃ、８３ｄを備えている。
【００５０】
上記終端返送路８２ｃの出口は、給紙部４の下方の給紙カセット６１に対応する待機搬送ローラ対６５への搬送路に連絡している。
【００５１】
また、中間転写ベルト３０と給紙部４の上段の給紙カセット６１との間には適宜の回路基盤を装着した不図示の電装部が配設され、その回路基盤には複数の電子部品からなる制御装置が搭載されている。制御装置は、特には図示しないがコントローラ部とエンジン部からなる。
【００５２】
コントローラ部は、ＣＰＵ（中央演算処理装置）、ＲＯＭ（読出し専用メモリ）、ＥＥＰＲＯＭ（再書込み可能な読出し用メモリ）、フレームメモリ、イメージデータ転送回路等からなり、ホストコンピュータ等から入力される印刷データを解析し、印字用データを作成してエンジン部に転送する。
【００５３】
エンジン部は、ＣＰＵやＲＯＭ等を備え、入力側にはコントローラ部からのデータや指令信号、不図示の温度センサの出力、用紙検知センサの出力等が入力し、出力側には不図示のモータを駆動するモータドライバ、そのモータの駆動を各部に伝達する駆動系を切り替えるクラッチドライバ、光書込みヘッド１０を上記印字用データに基づいて駆動する印字ドライバ、帯電ローラ９、一次転写ローラ３８等に所定のバイアス電流（又はバイアス電圧）を供給するバイアス電源ドライバ等が接続されている。このエンジン部は、コントローラ部からのデータや指令信号、各種のセンサの出力等に基づいて各部を駆動制御する。
【００５４】
給紙部４から搬送されてきた用紙６０は上述のフルカラー像が重ね合わさった中間転写ベルト３０と重ね合わさり、バックアップ従動ローラ３２と二次転写ローラ６６の間に設けたニップを通過するが、二次転写ローラ６６には電圧が印加され、これにより発生する電界により中間転写ベルト３０上で各色が重ね合せられたトナー画像が用紙紙６０に転写される。
【００５５】
このようなプリンタ１において、以下に、本発明のベルトユニット３によるエアフローを説明する。
【００５６】
図２、図３に示すように、本発明では、熱輻射の伝熱（矢印Ｉ）により中間転写ベルト３０は熱せられるが、中間転写ベルトユニット３の筐体内に空気の流れを設け排熱することで温度上昇を防止し、更に、筐体内に流れ込む空気に対し飛散トナーを予め取り除くエアフィルタ３９を設けている。
【００５７】
また、図示しないプリンタ本体フレームに設けた排気ファン５１は、空気の流れが矢印Ｊ方向になるように設定している。吸引側開口部には排気ダクト５２が設けてあり、この排気ダクト５２の排気ファン５１側ではない一端は、中間転写ベルトユニット３の奥側フレーム３４に設けた排気口３６に接続している。
【００５８】
従って、ベルト式定着装置６７で熱せられた空気は対流伝熱により矢印Ｈ方向に上昇し、排熱ファン５１で生ずるエアフローＫに沿って機外へ排出される。
【００５９】
一方、熱輻射の伝熱（矢印Ｉ）はエアフローＬ，Ｍ，Ｎの順で機外へ導かれるが、中間転写ベルトユニット３の外から吸引されるエアフローＬには飛散トナーが少なからず含まれている。しかし、この飛散トナーはエアフィルタ３９によってろ過され、且つ、上述のように、中間転写ベルト３０の内側を流れることの出来る空気は、エアシール用スポンジ４２、４３、４４ａ、４４ｂ、４５、４６、５４等で密閉されているから、吸気口３５から排気口３６へ通過する以外に対流しない。従って、中間転写ベルトユニット３の内部のとりわけベルト駆動ローラ３１の配置空間には飛散トナーは入り込まない。
【００６０】
このように、本発明では、中間転写ベルトユニットを構成する前後のフレームと、円筒状の中間転写ベルト端部との間の隙間を実質的に無くし、前後のフレームにエアフィルタを備える吸気口と、排気口とを設け、排気口を定着装置の冷却ファンを含むエアフローと接続して中間転写ベルト内の空気冷却経路を一つだけとしたので、省スペースなベルト冷却と、飛散トナーのベルト内部への侵入を防止してベルト走行の安定化が図れる。
【産業上の利用可能性】
【００６１】
本発明は、ベルトユニットを備えて用紙等の被転写材にトナー像を転写して画像を形成する画像形成装置に利用することができる。
【符号の説明】
【００６２】
１      プリンタ
２      画像形成部
３      中間転写ベルトユニット
４      給紙部
５      両面印刷用搬送ユニット
６（６Ｍ、６Ｃ、６Ｙ、６Ｋ）  画像形成ユニット
７      感光体ドラム
８      クリーナ
９      帯電ローラ
１０    光書込ヘッド
１１    現像器
１２    現像ローラ
１３    トナー攪拌部材
１４    トナー供給ローラ
１５    ドクターブレード
２０    廃トナー回収容器
３０    中間転写ベルト
３１    ベルト駆動ローラ
３２    バックアップ従動ローラ
３３    手前側フレーム
３４    奥側フレーム
３５    吸気口
３６    排気口
３７    テンションローラ
３８    一次転写ローラ
３９    エアフィルタ
４０    仕切り板
４０ａ  右端
４０ｂ  左端
４１ａ、４１ｂ  円筒開口端
４２、４３、４４ａ、４４ｂ、４５、４６、５４  エアシール用スポンジ
４７    ベルトクリーナユニット
４８    ベルトレベルローラ
４９    クリーニングブレード
５０    搬送スクリュウ
５１    排気ファン
５２    排気ダクト
５３    押圧ローラ
６１    給紙カセット
６２    用紙取出ローラ
６３    給送ローラ
６４    捌きローラ
６５    待機搬送ローラ対
６６    二次転写ローラ
６７    ベルト式定着装置
６８    ハロゲンランプ
６９    熱ローラ
７０    加熱定着ベルト
７１    定着ローラ
７２    バックアップローラ
７３    定着ケース
７８    搬出ローラ対
７９    排紙トレー
８１    排紙ローラ対
８２ａ  開始返送路
８２ｂ  中間返送路
８２ｃ  終端返送路
８３ａ、８３ｂ、８３ｃ、８３ｄ  返送ローラ対
【図１】
2010197574.tif 000003
【図２】
2010197574.tif 000004
【図３】
2010197574.tif 000005
【図４】
2010197574.tif 000006